(57)【要約】【課題】  カメラ付き携帯電話機のような携帯端末において、直感的な操作で画像を加工できるようにする。【解決手段】  画像表示部２を有する携帯端末１に、携帯端末１が把持されたことを検出する検出手段３Ｌ及び３Ｒと、検出手段３Ｌ及び３Ｒの検出結果に基づき、画像表示部２に表示される画像に対して所定の加工処理を行う画像加工手段とを備える。【選択図】  図１
2005142929.tif 000002
【特許請求の範囲】
【請求項１】
画像表示部を有する携帯端末において、
携帯端末が把持されたことを検出する検出手段と、
前記検出手段の検出結果に基づき、前記画像表示部に表示される画像に対して所定の加工処理を行う画像加工手段と
を備えたことを特徴とする携帯端末。
【請求項２】
請求項１に記載の携帯端末において、
前記検出手段は、加圧センサであることを特徴とする携帯端末。
【請求項３】
請求項１に記載の携帯端末において、
前記画像加工手段は、前記検出手段で把持が検出された時間の長さに応じて、加工処理量を変化させることを特徴とする携帯端末。
【請求項４】
請求項１に記載の携帯端末において、
前記画像加工手段は、前記検出手段が把持された向きに画像を圧縮することを特徴とする携帯端末。
【請求項５】
請求項１に記載の携帯端末において、
画像を送信するための通信手段
をさらに備えたことを特徴とする携帯端末。
【請求項６】
請求項５に記載の携帯端末において、
携帯端末の振動を検出する加速度センサと、
前記加速度センサの検出結果に基づき、前記通信手段で画像を送信させる制御手段と
をさらに備えたことを特徴とする携帯端末。
【請求項７】
請求項１に記載の携帯端末において、
撮像手段をさらに備えており、
前記画像加工手段は、前記撮像手段で撮影された画像に対して加工処理を行うことを特徴とする携帯端末。
【発明の詳細な説明】
【技術分野】
【０００１】
本願発明は、例えば携帯電話機のような、画像表示部を有する携帯端末に関する。
【背景技術】
【０００２】
近年、カメラを搭載するとともに、カメラで撮影して画像表示部に表示される画像に対してフレーム合成等の加工処理を行う機能を有する携帯電話機が普及している。従来のそうした携帯電話機では、ジョグダイヤルや押し釦式の操作キーを操作することによって画像を加工するようになっていた。
【０００３】
また、従来の携帯電話機には、電話機の傾きを検出する手段を設け、その傾き検出手段の検出結果に基づいて、“０”〜“９”の番号や、記号や、“電源ＯＦＦ”，“保留”等の機能を候補として表示する候補表示部の表示内容を変化させるようにしたものも存在している（例えば、特許文献１参照。）。
【特許文献１】特開平１０−２００６１８号公報（段落番号０００５、図１〜図５）
【発明の開示】
【発明が解決しようとする課題】
【０００４】
しかし、従来のようにジョグダイヤルや押し釦式の操作キーを操作して画像を加工する携帯電話機では、操作方法を覚えるのが面倒であるとともに、釦を押す等の動作とそれによる画像の加工内容とにイメージ的に関連がないので、直感的な操作で画像を加工することができなかった。
【０００５】
また、前述の傾き検出手段を設けた従来の携帯電話機では、電話機の傾きを変化させることによって番号や記号や機能を選択することはできるが、やはり直感的な操作で画像を加工することはできなかった。
【０００６】
本願発明は、上述の点に鑑み、カメラ付き携帯電話機のような携帯端末において、直感的な操作で画像を加工できるようにすることを課題としてなされたものである。
【課題を解決するための手段】
【０００７】
この課題を解決するために、本願発明は、画像表示部を有する携帯端末において、携帯端末が把持されたことを検出する検出手段と、この検出手段の検出結果に基づき、画像表示部に表示される画像に対して所定の加工処理を行う画像加工手段とを備えたことを特徴とする。
【０００８】
この携帯端末では、画像表示部に表示される画像を見ながら携帯端末を把持すると、携帯端末が把持されたことが検出手段で検出される。そして、その検出結果に基づき、その画像に画像加工手段で所定の加工処理が行われる。
【０００９】
このように、携帯端末を把持することに基づいて画像が加工されるので、直感的な操作で画像を加工することができる。
【００１０】
なお、この携帯端末が、画像を送信するための通信手段を有するものである場合には、一例として、携帯端末の振動を検出する加速度センサと、この加速度センサの検出結果に基づき、この通信手段で画像を送信させる制御手段とをさらに備えることが好適である。
【００１１】
それにより、画像を遠くに飛ばすような動作をする（携帯電話を振る）ことによって携帯端末から画像が送信されるので、加工した画像を直感的な操作で送信することもできるようになる。
【発明の効果】
【００１２】
本願発明に係る携帯端末によれば、画像表示部に表示される画像を、直感的な操作で加工できるという効果が得られる。さらに、加工した画像を、直感的な操作で携帯端末から送信できるという効果も得られる。
【発明を実施するための最良の形態】
【００１３】
以下、カメラ付き携帯電話機に本願発明を適用した例について、図面を用いて具体的に説明する。図１は、本願発明のカメラ付き携帯電話機の外観を示す正面図である。
【００１４】
この携帯電話機１は、画像表示部であるＬＣＤ（液晶ディスプレイ）２が設けられるとともに、このＬＣＤ２が設けられた面を正面として、左右の側面に、圧電素子を用いた加圧センサ３Ｌ，３Ｒがそれぞれ設けられている。
【００１５】
加圧センサ３Ｌと加圧センサ３Ｒとは携帯電話機１の縦方向上の同じ高さの位置に存在しており、したがって、この加圧センサ３Ｌ及び３Ｒの箇所に手をかけて携帯電話機１を把持する（横方向に握る）ことができるようになっている。
【００１６】
携帯電話機１の正面には、メールキー４，左キー５，ジョグダイヤル６，右キー７，インターネット接続キー８，開始キー（発信と着信時の応答を行うキー）９，クリ７キー１０，終了キー１１，その他のキー群（テンキー等）１２や、スピーカ１３や、マイクロホン（図には表れていない）も設けられている。
【００１７】
携帯電話機１の側面には、後述するＣＣＤカメラのシャッターキー１５も設けられている。また、図示は省略するが、携帯電話機１の上面には可動式アンテナが収納されている。
【００１８】
携帯電話機１は、ＬＣＤ２や加圧センサ３Ｌ及び３Ｒ等が設けられた電話機上部１ａと、キー群１２等が設けられた電話機下部１ｂとを、正面に平行な面内で互いに回転させることにより、ＬＣＤ２を表側に向けて折り畳むことができる。
【００１９】
図２は、このように折り畳んだ状態の携帯電話機１の外観を示す背面図（電話機下部１ｂを背面側からみた図）である。携帯電話機１はＣＣＤカメラを搭載しており、電話機下部１ｂの背面のスライド式レンズカバー１６を図２Ａのように閉じた状態から図２Ｂのようにスライドさせると、ＣＣＤカメラのレンズ１７が露出するようになっている。
【００２０】
電話機下部１ｂの上下の面には、圧電素子を用いた加圧センサ１８Ｕ，１８Ｄがそれぞれ設けられている（加圧センサ１８Ｄは、図１にも表れている）。したがって、携帯電話機１を折り畳んだ状態で、加圧センサ１８Ｕ及び１８Ｄの箇所に手をかけて携帯電話機１を把持する（縦方向に握る）ことができるようになっている。電話機下部１ｂの背面には、加速度センサ１９も設置されている。
【００２１】
なお、以下では、加圧センサ３Ｌと加圧センサ３Ｒとの２つを総称して加圧センサ３と呼び、加圧センサ１８Ｕと加圧センサ１８Ｄとの２つを総称して加圧センサ１８と呼ぶことにする。
【００２２】
図３は、携帯電話機１の回路構成を示すブロック図である。制御部２１，通信処理部２２，ＬＣＤ駆動部２３（図１のＬＣＤ２を駆動する回路），操作部２４（図１の各キー及びジョグダイヤル６），カメラ部２５（ＣＣＤカメラとその制御回路），メモリ２６，画像加工部２７，加圧センサ３（図１），加圧センサ１８（図２），加速度センサ１９（図２）が制御ライン２８で結ばれているとともに、通信処理部２２，スピーカ１３（図１），マイクロホン１４，ＬＣＤ駆動部２３，カメラ部２５，メモリ２６，画像加工部２７がデータライン２９で結ばれている。画像加工部２７は、画像を間引くこと等によって圧縮する回路である。
【００２３】
音声や画像の送信時には、マイクロホン１４やカメラ部２５やメモリ２６や画像加工部２７からのデータが、データライン２９を介して通信処理部２２に送られ、制御部２１の制御のもとで符号化・変調・アップコンバートされてアンテナ３０（前述の可動式アンテナ）から送信される。
【００２４】
他方、音声や画像の受信時には、アンテナ３０で受信されたデータが、制御部２１の制御のもとで通信処理部２２によってダウンコンバート・復調・復号化され、データライン２９を介してスピーカ１３やＬＣＤ駆動部２３に送られる。
【００２５】
図４は、図３の制御部２１が、ＣＣＤカメラで撮影した画像の加工・送信に関して実行する処理を示すフローチャートである。この処理では、まず、シャッターキー１５（図１）の操作に基づいてカメラ部２５（図３）で撮影を行わせ（ステップＳ１）、その撮影された画像を、ＬＣＤ駆動部２３（図３）を制御してＬＣＤ２（図１）に表示させる（ステップＳ２）。
【００２６】
続いて、加圧センサ３（図１）か加圧センサ１８（図２）かのいずれかから、携帯電話１が握られたことを検出する信号が送られたか否かの判断（ステップＳ３）と、メールキー４が押されたか否かの判断（ステップＳ４）と、ジョグダイヤル６（図１）で画像の保存のための操作が行われたか否かの判断（ステップＳ５）と、終了キー１１（図１）が押されたか否かの判断（ステップＳ６）とを、いずれかのステップでイエスになるまで繰り返す。
【００２７】
ステップＳ３でイエスになると、「画像加工ルーチン」に移行する（ステップＳ７）。図５は、この「画像加工ルーチン」のフローチャートである。最初に、加圧センサ３と加圧センサ１８とのうちのいずれかから検出信号が送られたのか（すなわち、携帯電話機１が横方向に握られたのか縦方向に握られたのか）を判別する（ステップＳ１１）。
【００２８】
そして、画像加工部２７を制御して、画面に、携帯電話機１が握られた方向に直交する方向に中心軸を設定させる。すなわち、携帯電話機１が横方向に握られた（加圧センサ３から検出信号が送られた）場合には、図６Ａに示すように画面Ｐに縦方向に中心軸Ｃを設定させる。他方、携帯電話機１が縦方向に握られた（加圧センサ１８から検出信号が送られた）場合には、図６Ｂに示すように画面Ｐに横方向に中心軸Ｃを設定させる（ステップＳ１２）。
【００２９】
続いて、その加圧センサからまだ検出信号が送られているか（携帯電話機１がまだその方向に握られているか）の判断（ステップＳ１３）と、ジョグダイヤル６が操作されたか否かの判断（ステップＳ１４）とを、いずれかのステップでイエスになるまで繰り返す。
【００３０】
ステップＳ１３でイエスになると、画像加工部２７を制御して、撮影された画像を、携帯電話機１が握られた方向に一定量だけ圧縮させる。具体的には、ステップＳ１２で設定した中心軸の両側の所定範囲内（例えば２〜３画素分）の画像の間引かせ、それより外側の画像を中心軸側にスライドさせるとともに、スライドして空白になった外側の部分に所定の背景画像を追加させる（ステップＳ１５）。そして、ＬＣＤ駆動部２３（図３）を制御して、その圧縮された画像をＬＣＤ２（図１）に再表示させる（ステップＳ１６）。
【００３１】
そして、所定時間（例えばミリ秒または秒単位の時間）待機し（ステップＳ１７）、その後ステップＳ１３に戻る。他方、ステップＳ１４でイエスになると、リターンして図４のルーチンに戻って、ステップＳ６に進む。
【００３２】
図４のステップＳ４でイエスになると、「メールモードルーチン」に移行する（ステップＳ８）。図７は、この「メールモードルーチン」のフローチャートである。最初に、メーラーを起動し（ステップＳ２１）、撮影された画像（「画像加工ルーチン」で圧縮した場合には圧縮後の画像）をメールに自動添付する（ステップＳ２２）。そして、テンキー等による入力操作に基づき、メールの宛先，サブジェクト及び本文を作成する（ステップＳ２３）。
【００３３】
続いて、加速度センサ１９（図２）から一定レベル以上の検出信号が送られた（すなわち携帯電話機１が大きく振られた）か否かの判断（ステップＳ２４）と、終了キー１１（図１）が押されたか否かの判断（ステップＳ２５）とを、いずれかのステップでイエスになるまで繰り返す。
【００３４】
ステップＳ２４でイエスになると、通信処理部２２を制御して、そのメールを送信させる（ステップＳ２６）。そして、ステップＳ２７に進む。他方、ステップＳ２５でイエスになると、そのままステップＳ２７に進む。ステップＳ２７では、そのメールをメモリに保存する。その後、リターンして図４のルーチンに戻って、処理を終了する。
【００３５】
図４のステップＳ５でイエスになると、撮影された画像（「画像加工ルーチン」で圧縮した場合には圧縮後の画像）を、メモリ２６に保存させる（ステップＳ９）。そしてステップＳ６に進む。ステップＳ６でイエスになると、処理を終了する。
【００３６】
次に、ユーザーが、この携帯電話機１で、撮影した画像を加工して送信する様子について説明する。ユーザーが、例えば図８Ａに示すように、自分の顔を携帯電話機１のＣＣＤカメラで撮影したとする。
【００３７】
ユーザーが、ＬＣＤ２（図１）に表示されるこの自分の顔の画像を見ながら、携帯電話機１の側面の加圧センサ３（図１）の箇所に手をかけて、この画像を握りつぶすようなイメージで携帯電話機１を握り続けたとする。
【００３８】
すると、図４の処理において「画像加工ルーチン」に移行し、図５のステップ１１及び１２で縦方向に中心軸が設定され（図６Ａ）、携帯電話機１を握っている間じゅう図５のステップＳ１３，１５〜１７が繰り返されるので、握っている時間の長さに応じて、図８Ａに示す状態から図８Ｂに示す状態へ、さらに図８Ｂに示す状態から図８Ｃに示す状態へと、握っている方向である横方向に徐々に画像が圧縮されていく。そして、握るのをやめ、ジョグダイヤル６（図１）を操作すると、その時点で圧縮が終了する（図５のステップＳ１４）。
【００３９】
続いて、ユーザーは、メールキー４を押し、メールの宛先，サブジェクト及び本文を入力した後、その画像を遠くに飛ばすようなイメージで携帯電話機１を大きく振る。
【００４０】
すると、図７の「メールモードルーチン」が実行されることにより、圧縮された画像を添付したメールが友人宛てに送信される。
【００４１】
このように、この携帯電話機１では、ＬＣＤ２に表示される画像を見ながら、その画像を握りつぶすようなイメージで携帯電話機１を把持することによって画像が圧縮される（図８には加圧センサ３の箇所に手をかけて携帯電話機１を横方向に握った場合の圧縮例を示したが、加圧センサ１８（図２）の箇所に手をかけて携帯電話機１を縦方向に握れば、縦方向に画像を圧縮することができる）。したがって、直感的な操作で画像を加工することができる。
【００４２】
さらに、画像を遠くに飛ばすようなイメージで携帯電話機１を大きく振ることによって画像が送信されるので、加工した画像を直感的な操作で送信することもできる。
【００４３】
なお、以上の例では、携帯電話機１の加圧センサ３や加圧センサ１８の箇所を握っている時間の長さに応じて、画像の圧縮量が増加するようにしている。しかし、別の例として、携帯電話機１の加圧センサ３や加圧センサ１８の箇所を握る力の強さ（加圧センサ３や加圧センサ１８からの検出信号のレベル）に応じて、画像の圧縮量を変化させるようにしてもよい。
【００４４】
図９は、そのようにした場合の画像の圧縮量の変化を例示する図である。時刻ｔ１では、携帯電話機１を握る力が比較的弱いので、このときは、画像の圧縮量も比較的小さい。その後の時刻ｔ２では、携帯電話機１を握る力が強くなっているので、画像の圧縮量が増加する。その後の時刻ｔ３では、携帯電話機１を握る力が弱くなっているので、今度は画像の圧縮量が減少する。
【００４５】
また、以上の例では、画像を圧縮する際に、画面の中心軸の両側の所定範囲内の画像の間引いているが、別の例として、携帯電話機１が握られた方向上で画像を均等に間引くようにしてもよい。
【００４６】
また、以上の例では、画像を圧縮しているが、携帯電話機１が把持されたことに基づき、圧縮以外の画像加工処理（例えば拡大／縮小等）を行うようにしてもよい。
【００４７】
また、以上の例では、ＣＣＤカメラで撮影した画像を加工するようにしているが、これに限らず、例えばメールで受信した画像がＬＣＤ２に表示されているときに、携帯電話機１が把持されたことに基づいてその画像を加工するようにしてよい。
【００４８】
また、以上の例では、携帯電話機１を把持する動作や振る動作（加圧センサ３，１８や加速度センサ１９の検出信号）を、画像の加工・送信にのみ利用している。しかし、これに限らず、ＬＣＤ２に画像が表示されていないときの加圧センサや加速度センサの検出信号の用途として、次の（１）〜（３）のような用途を追加してもよい。
【００４９】
（１）メールやデータの削除のために利用する。例えば、メールの閲覧中に、メールを握りつぶして投げ捨てるようなイメージで携帯電話機１を握って振ることによって、そのメールが削除されるようにする。
【００５０】
（２）ユーザーの認証のために利用する。例えば、携帯電話機１を何回握った後何回振るといった一連の動作の順番及び回数を予め登録しておくメニューを設け、その登録した通りに動作を行うまでは、携帯電話機１を使用できない（キー操作を行っても通信や撮影等が行われない）ようにする。
【００５１】
（３）加圧センサ３，１８や加速度センサ１９の検出信号に、ジョグダイヤル６や各種キーの操作を割り当てる。例えば、加圧センサ３からの検出信号を、インターフェースにより、ジョグダイヤル６（図１）の上スクロール時のパルスパターンに変換して制御部２１（図２）に供給したり、加圧センサ１８からの検出信号を、インターフェースにより、ジョグダイヤル６の下スクロール時のパルスパターンに変換して制御部２１に供給する。また、加速度センサ１９からの左方向，右方向，法線方向への振れの検出信号を、インターフェースにより、それぞれ左キー５（図１），右キー７（図１），ジョグダイヤル６（図１）の押下時のパルスパターンに変換して制御部２１に供給する。
【００５２】
また、以上の例では、携帯電話機に本願発明を適用しているが、これに限らず、携帯電話機以外の携帯端末であって画像表示部を有するもの（例えばＰＤＡ等）にも本願発明を適用してよい。
【図面の簡単な説明】
【００５３】
【図１】本願発明による携帯電話機の外観を示す正面図である。
【図２】図１の携帯電話機を折り畳んだ状態を示す背面図である。
【図３】図１の携帯電話機の回路構成を示すブロック図である。
【図４】図４の制御部が実行する処理を示すフローチャートである。
【図５】図４の画像加工ルーチンのフローチャートである。
【図６】図４の画像加工ルーチンで設定する中心軸を示す図である。
【図７】図４のメールモードルーチンのフローチャートである。
【図８】図１の携帯電話機で撮影した画像の圧縮の様子を例示する図である。
【図９】携帯電話機を握る強さに応じて画像の圧縮量が変化する例を示す図である。
【符号の説明】
【００５４】
１  携帯電話機
２  ＬＣＤ
３Ｌ  加圧センサ
３Ｒ  加圧センサ
３  加圧センサ
１５  シャッターキー
１７  ＣＣＤカメラのレンズ
１８Ｌ  加圧センサ
１８Ｒ  加圧センサ
１８  加圧センサ
１９  加速度センサ
２１  制御部
２２  通信処理部
２５  カメラ部
２６  メモリ
２７  画像加工部
【図１】
2005142929.tif 000003
【図２】
2005142929.tif 000004
【図３】
2005142929.tif 000005
【図４】
2005142929.tif 000006
【図５】
2005142929.tif 000007
【図６】
2005142929.tif 000008
【図７】
2005142929.tif 000009
【図８】
2005142929.tif 000010
【図９】
2005142929.tif 000011